(57)【要約】【課題】  スロットダイバーシティ通信における各基地局間のデータ遅延を補償し、タイミングの合った同一のデータを比較させることで、伝送品質の高いデータを確実に選択させる。【解決手段】  本発明の無線端末装置１４０は、複数の基地局１３０からのパケットを受信する端末無線部５２０と、パケットをデータに復号する端末復号部６１０と、複数の基地局１３０それぞれのデータを所定時間分記憶する端末メモリ５１２と、所定時間分のデータを時間方向に相対的に推移させつつ相関値を計算し、相関値が所定の閾値以上となる場合のデータ間の時間差を導出する端末導出部６１２と、データのタイミングが進んでいる基地局からのデータを時間差分遅延させる端末遅延部６１４と、遅延されたデータを含む基地局１３０からのデータから、伝送品質の高いデータを選択する端末選択部６１８と、を備えることを特徴としている。【選択図】    図７
2008135831.tif 000002
【特許請求の範囲】
【請求項１】
複数の基地局で排他的に割り当てられた時分割多重方式に基づくタイムスロットを通じて同一内容のデータを重複受信し、そのうち伝送品質の高いデータを選択する無線端末装置であって、
前記複数の基地局においてそれぞれ任意のタイミングでパケット化されたパケットを受信する端末無線部と、
前記パケットをデータに復号する端末復号部と、
前記複数の基地局それぞれのデータを所定時間分記憶する端末メモリと、
前記所定時間分のデータを時間方向に相対的に推移させつつ相関値を計算し、相関値が所定の閾値以上となる場合のデータ間の時間差を導出する端末導出部と、
前記所定時間分のデータのタイミングが進んでいる基地局からのデータを前記時間差分遅延させる端末遅延部と、
前記遅延されたデータを含む前記基地局からのデータから、伝送品質の高いデータを選択する端末選択部と、
を備えることを特徴とする、無線端末装置。
【請求項２】
前記端末導出部は、所定の閾値以上の相関値を取得できなかった場合、データを所定時間分新たに記憶させ、再度時間差を導出することを特徴とする、請求項１に記載の無線端末装置。
【請求項３】
前記端末選択部は、前記端末導出部による時間差が導出されるまで、いずれか一つのデータを固定的に選択することを特徴とする、請求項１または２に記載の無線端末装置。
【請求項４】
前記データは、音声データであることを特徴とする、請求項１〜３のいずれかに記載の無線端末装置。
【請求項５】
中継サーバと通信網を介して接続された複数の基地局と、該複数の基地局で排他的に割り当てられた時分割多重方式に基づくタイムスロットを通じて同一内容のデータを重複受信し、そのうち伝送品質の高いデータを選択する無線端末装置と、を備える無線通信システムであって、
前記複数の基地局は、
前記中継サーバからの同一のデータをそれぞれ任意のタイミングでパケット化してパケットを生成するパケット生成部と、
前記無線端末装置に割り当てたタイムスロットの間、前記パケットを該無線端末装置に送信する基地局無線部と、
前記無線端末装置から時間差を受信した場合、前記中継サーバからのデータを該時間差分遅延させる基地局遅延部と、
を備え、
前記無線端末装置は、
前記複数の基地局からパケットを受信する端末無線部と、
前記パケットをデータに復号する端末復号部と、
前記複数の基地局それぞれのデータを所定時間分記憶する端末メモリと、
前記所定時間分のデータを時間方向に相対的に推移させつつ相関値を計算し、相関値が所定の閾値以上となる場合のデータ間の時間差を導出する端末導出部と、
前記所定時間分のデータのタイミングが進んでいる基地局に前記時間差を送信する端末時間差送信部と、
前記復号されたデータのうち、伝送品質の高いデータを選択する端末選択部と、
を備えることを特徴とする、無線通信システム。
【請求項６】
中継サーバと通信網を介して接続され、時分割多重方式に基づくタイムスロットを通じて同一内容のデータを他の基地局と共に無線端末装置に重複送信する基地局であって、
前記中継サーバからの同一のデータをそれぞれ任意のタイミングでパケット化してパケットを生成するパケット生成部と、
前記無線端末装置に割り当てたタイムスロットの間、前記パケットを該無線端末装置に送信する基地局無線部と、
前記無線端末装置から時間差を受信した場合、前記中継サーバからのデータを該時間差分遅延させる基地局遅延部と、
を備えることを特徴とする、基地局。
【請求項７】
複数の基地局で排他的に割り当てられた時分割多重方式に基づくタイムスロットを通じて同一内容のデータを重複受信し、そのうち伝送品質の高いデータを選択する無線端末装置であって、
前記複数の基地局においてそれぞれ任意のタイミングでパケット化されたパケットを受信する端末無線部と、
前記パケットをデータに復号する端末復号部と、
前記複数の基地局それぞれのデータを所定時間分記憶する端末メモリと、
前記所定時間分のデータを時間方向に相対的に推移させつつ相関値を計算し、相関値が所定の閾値以上となる場合のデータ間の時間差を導出する端末導出部と、
前記所定時間分のデータのタイミングが進んでいる基地局に前記時間差を送信する端末時間差送信部と、
前記復号されたデータのうち、伝送品質の高いデータを選択する端末選択部と、
を備えることを特徴とする、無線端末装置。
【請求項８】
複数の基地局からの同一内容のデータを重複受信し、そのうち伝送品質の高いデータを選択する中継サーバであって、
前記複数の基地局それぞれのデータを所定時間分記憶するサーバメモリと、
前記所定時間分のデータを時間方向に相対的に推移させつつ相関値を計算し、相関値が所定の閾値以上となる場合のデータ間の時間差を導出するサーバ導出部と、
前記所定時間分のデータのタイミングが進んでいる基地局からのデータを前記時間差分遅延させるサーバ遅延部と、
前記遅延されたデータを含む前記基地局からのデータから、伝送品質の高いデータを選択するサーバ選択部と、
を備えることを特徴とする、中継サーバ。
【請求項９】
無線端末装置と無線通信を行う複数の基地局と、該複数の基地局からの同一内容のデータを重複受信し、そのうち伝送品質の高いデータを選択する中継サーバと、を備える無線通信システムであって、
前記複数の基地局は、
前記無線端末装置からのパケットをデータに復号する基地局復号部と、
前記復号されたデータを前記中継サーバに送信するデータ送信部と、
前記中継サーバから時間差を受信した場合、前記復号したデータを該時間差分遅延させる基地局遅延部と、
を備え、
前記中継サーバは、
前記複数の基地局それぞれのデータを所定時間分記憶するサーバメモリと、
前記所定時間分のデータを時間方向に相対的に推移させつつ相関値を計算し、相関値が所定の閾値以上となる場合のデータ間の時間差を導出するサーバ導出部と、
前記所定時間分のデータのタイミングが進んでいる基地局に前記時間差を送信するサーバ時間差送信部と、
前記基地局からのデータから、伝送品質の高いデータを選択するサーバ選択部と、
を備えることを特徴とする、無線通信システム。
【請求項１０】
無線端末装置と無線通信を行い、同一内容のデータを他の基地局と共に中継サーバに重複送信する基地局であって、
前記無線端末装置からのパケットをデータに復号する基地局復号部と、
前記復号されたデータを前記中継サーバに送信するデータ送信部と、
前記中継サーバから時間差を受信した場合、前記復号したデータを該時間差分遅延させる基地局遅延部と、
を備えることを特徴とする、基地局。
【請求項１１】
複数の基地局からの同一内容のデータを重複受信し、そのうち伝送品質の高いデータを選択する中継サーバであって、
前記複数の基地局それぞれのデータを所定時間分記憶するサーバメモリと、
前記所定時間分のデータを時間方向に相対的に推移させつつ相関値を計算し、相関値が所定の閾値以上となる場合のデータ間の時間差を導出するサーバ導出部と、
前記所定時間分のデータのタイミングが進んでいる基地局に前記時間差を送信するサーバ時間差送信部と、
前記基地局からのデータから、伝送品質の高いデータを選択するサーバ選択部と、
を備えることを特徴とする、中継サーバ。
【請求項１２】
複数の基地局と無線通信を行う無線端末装置を用いた無線通信方法であって、
前記複数の基地局において同一内容のデータがそれぞれ任意のタイミングでパケット化されたパケットを受信する端末パケット受信ステップと、
前記パケットをデータに復号する端末復号ステップと、
前記複数の基地局それぞれのデータを所定時間分端末メモリに記憶する端末記憶ステップと、
前記所定時間分のデータを時間方向に相対的に推移させつつ相関値を計算し、相関値が所定の閾値以上となる場合のデータ間の時間差を導出する端末導出ステップと、
前記所定時間分のデータのタイミングが進んでいる基地局からのデータを前記時間差分遅延させる端末遅延ステップと、
遅延されたデータを含む前記基地局からのデータから、伝送品質の高いデータを選択する端末選択ステップと、
を含むことを特徴とする、無線通信方法。
【請求項１３】
複数の基地局と、該複数の基地局と無線通信を行う無線端末装置を用いた無線通信方法であって、
前記複数の基地局が、
前記中継サーバからの同一のデータをそれぞれ任意のタイミングでパケット化してパケットを生成するパケット生成ステップと、
前記無線端末装置に割り当てたタイムスロットの間、前記パケットを該無線端末装置に送信する基地局パケット送信ステップと、
前記無線端末装置が、
前記複数の基地局からパケットを受信する端末パケット受信ステップと、
前記パケットをデータに復号する端末復号ステップと、
前記複数の基地局それぞれのデータを所定時間分端末メモリに記憶する端末記憶ステップと、
前記所定時間分のデータを時間方向に相対的に推移させつつ相関値を計算し、相関値が所定の閾値以上となる場合のデータ間の時間差を導出する端末導出ステップと、
前記所定時間分のデータのタイミングが進んでいる基地局に前記時間差を送信する端末時間差送信ステップと、
前記基地局が
前記中継サーバからのデータを前記時間差分遅延させる基地局遅延ステップと、
前記無線端末装置が、
前記復号されたデータのうち、伝送品質の高いデータを選択する端末選択ステップと、
を含むことを特徴とする、無線通信方法。
【請求項１４】
複数の基地局と通信を行う中継サーバを用いた無線通信方法であって、
前記複数の基地局それぞれのデータを所定時間分サーバメモリに記憶するサーバ記憶ステップと、
前記所定時間分のデータを時間方向に相対的に推移させつつ相関値を計算し、相関値が所定の閾値以上となる場合のデータ間の時間差を導出するサーバ導出ステップと、
前記所定時間分のデータのタイミングが進んでいる基地局からのデータを前記時間差分遅延させるサーバ遅延ステップと、
前記遅延されたデータを含む前記基地局からのデータから、伝送品質の高いデータを選択するサーバ選択ステップと、
を含むことを特徴とする、無線通信方法。
【請求項１５】
複数の基地局と、該複数の基地局と通信を行う中継サーバを用いた無線通信方法であって、
前記複数の基地局が、
前記無線端末装置からのパケットをデータに復号する基地局復号ステップと、
前記復号されたデータを前記中継サーバに送信するデータ送信ステップと、
前記中継サーバが、
前記複数の基地局それぞれのデータを所定時間分サーバメモリに記憶するサーバ記憶ステップと、
前記所定時間分のデータを時間方向に相対的に推移させつつ相関値を計算し、相関値が所定の閾値以上となる場合のデータ間の時間差を導出するサーバ導出ステップと、
前記所定時間分のデータのタイミングが進んでいる基地局に前記時間差を送信するサーバ時間差送信ステップと、
前記基地局が、
前記復号したデータを該時間差分遅延させる基地局遅延ステップと、
前記中継サーバが、
前記基地局からのデータから、伝送品質の高いデータを選択するサーバ選択ステップと、
を含むことを特徴とする、無線通信方法。
【発明の詳細な説明】
【技術分野】
【０００１】
本発明は、スロットダイバーシティ通信におけるデータ間の遅延を補償する無線通信システム、中継サーバ、基地局、無線端末装置、および無線通信方法に関する。
【背景技術】
【０００２】
携帯電話等の無線端末装置とその通信対象である基地局には、フレームを時分割した複数のタイムスロットをそれぞれチャネルに割り当てて通信を行う時分割多重方式（ＴＤＭＡ：Ｔｉｍｅ  Ｄｉｖｉｓｉｏｎ  Ｍｕｌｔｉｐｌｅ  Ａｃｃｅｓｓ）が採用されている。時分割多重方式では、データがフレームに分割され、さらにそのフレーム分のデータが１タイムスロット分のパケットに変換され、このパケット単位で送受信が実行される。かかる時分割多重方式では、１つの基地局における複数のチャネルをそれぞれ別体の無線端末装置に割り当てることもできるが、２以上のチャネルを１つの無線端末装置に割り当てることもできる。
【０００３】
また、このような２以上のチャネルを利用して、同一のデータを２以上のチャネルで多重伝送し、そのうち伝送品質の高いデータのみを使用することで、一方のチャネルに伝送エラーが生じたとしても他方のチャネルでそのエラーを補償することが可能なスロットダイバーシティ通信も実施されている。
【０００４】
図１２は、従来のスロットダイバーシティ通信の概略的な構成を示した説明図である。ここでは、基地局１０と無線端末装置１２との間の無線通信方式として、フレーム１４を例えば８つのタイムスロット１６（上下方向に４つづつ）に分割した時分割多重方式が採られている。そして上りの４つのタイムスロット１６のうち（１）と（２）の２つのタイムスロットが、下りの４つのタイムスロット１６のうち（３）と（４）の２つのタイムスロットが無線端末装置１２に割り当てられ、それぞれ、同一内容のデータがパケット化されて伝送されている。
【０００５】
従って、無線端末装置１２は、基地局１０からタイムスロット（１）および（２）を通じて重複受信したパケットの伝送品質を比較し、より高い方を当該無線端末装置１２で使用する。同様に、基地局１０は、無線端末装置１２からタイムスロット（３）および（４）を通じて重複受信したパケットの伝送品質を比較し、より高い方を無線端末装置１２からのデータとして後段の中継サーバに伝送する。
【０００６】
また、このようなスロットダイバーシティ通信に基づいて、親機と子機それぞれデータ更新タイミングを指定する制御部を設け、送信側と受信側の任意のタイムスロット間のデータ更新量を一致させる技術（例えば、特許文献１）も知られている。
【特許文献１】特開２００５−１３０３３６号公報
【発明の開示】
【発明が解決しようとする課題】
【０００７】
上述したスロットダイバーシティ通信では、一つの基地局における複数のチャネルが一つの無線端末装置に割り当てられ、同一のデータをパケット化した同一のパケットが基地局から無線端末装置に送信されている。しかし、タイムスロットの使用は、スロットダイバーシティ通信より複数の無線端末装置との無線通信の方が優先されるため、基地局で割り当て可能なタイムスロットが全て塞がってしまうとスロットダイバーシティ通信のためにタイムスロットを開放することができなくなってしまう。また、タイムスロットをスロットダイバーシティ通信に割り当てることができたとしても、利用する複数のチャネルにおける無線端末装置と基地局との位置関係が同じなので、通信経路に大きな障害物が存在する場合、相異する経路による高い伝送品質の恩恵を受けることができなかった。
【０００８】
そこで、本願発明者は、スロットダイバーシティ通信を一つの無線端末装置と複数の基地局との間で遂行することを検討した。このように複数の基地局を対象とすることで、一つの基地局においてタイムスロットの空きがなくとも他の基地局を利用することが可能となり、また、無線端末装置および基地局は、通信経路の違いによって伝送品質の異なるパケットを取得することができる。
【０００９】
しかし、基地局と無線端末装置とのタイムスロットは複数の基地局間でも同期しているものの、中継サーバから送信される同一のデータが各基地局に到達する時間は必ずしも同じではなく、伝送経路に応じて到着時に時間差が生じる。また、各基地局では、中継サーバから受信したデータをそれぞれ独立したタイミングでパケット化するので、同一のデータをパケット化しているにも拘わらず、各基地局間で相異するパケットが生成されてしまう。
【００１０】
従って、無線端末装置において、時間情報が付与されていないパケットを単に復号するだけでは各基地局からのデータに時間的なずれが生じ、同一時間に比較しているデータが同一の情報とは限らないので、データの伝送品質を比較することができず、スロットダイバーシティ通信が成り立たない問題が生じ得る。
【００１１】
本発明は、複数の基地局とのスロットダイバーシティ通信において生じ得る上記問題点に鑑みてなされたものであり、本発明の目的は、データに時間情報が付されていなくとも、スロットダイバーシティ通信における各基地局間のデータ遅延を補償し、タイミングの合った同一のデータを比較させることで、伝送品質の高い（振幅が大きい、Ｓ／Ｎ比が大きい等）データを確実に選択することが可能な、新規かつ改良された無線通信システム、中継サーバ、基地局、無線端末装置、および無線通信方法を提供することである。
【課題を解決するための手段】
【００１２】
上記課題を解決するために、本発明のある観点によれば、複数の基地局で排他的に割り当てられた時分割多重方式に基づくタイムスロットを通じて同一内容のデータを重複受信し、そのうち伝送品質の高いデータを選択する無線端末装置であって、複数の基地局においてそれぞれ任意のタイミングでパケット化されたパケットを受信する端末無線部と、パケットをデータに復号する端末復号部と、複数の基地局それぞれのデータを所定時間分記憶する端末メモリと、所定時間分のデータを時間方向に相対的に推移させつつ相関値を計算し、相関値が所定の閾値以上となる場合のデータ間の時間差を導出する端末導出部と、所定時間分のデータのタイミングが進んでいる基地局からのデータを時間差分遅延させる端末遅延部と、遅延されたデータを含む基地局からのデータから、伝送品質の高いデータを選択する端末選択部と、を備えることを特徴とする、無線端末装置が提供される。また、上述した無線端末装置を用いた無線通信方法も提供される。
【００１３】
ここでは、複数の基地局に跨ってタイムスロットを割り当てるスロットダイバーシティ通信を採用し、複数の基地局から非同期データ、即ち、時間情報（絶対時刻やこれに類する順序情報等の情報）が付されていないデータを受信したとしても、各基地局からのデータの相関をとることで、中継サーバから各基地局までの通信経路の相異により生じる時間差を導出し、タイミングが進んでいるデータをその時間差分遅延させて、各データのタイミングを合わせることができる。従って、端末選択部は、タイミングの合った同一のデータを比較させることができ、伝送品質の高いデータを確実に選択することが可能となる。
【００１４】
また、一つの無線端末装置が複数の基地局を対象とすることで、一つの基地局においてタイムスロットの空きがなくとも他の基地局を利用することが可能となり、さらに、基地局の配置の違いによって、伝送品質の異なるパケットを取得し、より伝送品質の高いパケットを取得する可能性を高めることができる。
【００１５】
端末導出部は、所定の閾値以上の相関値を取得できなかった場合、データを所定時間分新たに記憶させ、再度時間差を導出してもよい。
【００１６】
複数の基地局からの通信経路によっては、受信するデータ同士の相関を求められないときがある。このような場合は、所定時間分のデータを再度取得し、相関値が所定の閾値以上となるまで、即ち時間差として妥当な値を得ることができるまで時間差導出処理を繰り返す。また、この繰り返し処理毎に所定の閾値を下げてもよい。
【００１７】
端末選択部は、端末導出部による時間差が導出されるまで、いずれか一つのデータを固定的に選択してもよい。
【００１８】
端末選択部は、非同期データに関して端末導出部が時間差を導出するまで伝送品質を比較することができない。従って、上記時間差が導出されるまで、いずれか一つの基地局からのデータを固定的に使用してその間の通信接続を維持する。
【００１９】
データは、音声データであってもよい。データに時間情報が付されている場合、途中で遅延が発生してもデータの同期をとることができる。しかし、音声データ等の非同期データでは同期をとる指標となるものがない。本発明では、時間情報が付されていない例えば音声データ等においてもその相関によって遅延量を推定し、同期をとることができる。
【００２０】
上記課題を解決するために、本発明の別の観点によれば、中継サーバと通信網を介して接続された複数の基地局と、複数の基地局で排他的に割り当てられた時分割多重方式に基づくタイムスロットを通じて同一内容のデータを重複受信し、そのうち伝送品質の高いデータを選択する無線端末装置と、を備える無線通信システムであって、複数の基地局は、中継サーバからの同一のデータをそれぞれ任意のタイミングでパケット化してパケットを生成するパケット生成部と、無線端末装置に割り当てたタイムスロットの間、パケットを無線端末装置に送信する基地局無線部と、無線端末装置から時間差を受信した場合、中継サーバからのデータを時間差分遅延させる基地局遅延部と、を備え、無線端末装置は、複数の基地局からパケットを受信する端末無線部と、パケットをデータに復号する端末復号部と、複数の基地局それぞれのデータを所定時間分記憶する端末メモリと、所定時間分のデータを時間方向に相対的に推移させつつ相関値を計算し、相関値が所定の閾値以上となる場合のデータ間の時間差を導出する端末導出部と、所定時間分のデータのタイミングが進んでいる基地局に時間差を送信する端末時間差送信部と、復号されたデータのうち、伝送品質の高いデータを選択する端末選択部と、を備えることを特徴とする、無線通信システムが提供される。
【００２１】
上述した無線端末装置では、導出した時間差を無線端末装置自体で補償している。本発明では、時間差を基地局で補償する。かかる構成により、台数が比較的多い無線端末装置に遅延部を設けなくとも、占有体積やメンテナンス的に有利な基地局に遅延部を設けることができるので、遅延部のソフト変更にも迅速に対応することが可能となる。
【００２２】
また、上述した無線通信システムを構成する基地局および無線端末装置や、その基地局および無線端末装置を用いた無線通信方法も提供される。
【００２３】
上記課題を解決するために、本発明の別の観点によれば、複数の基地局からの同一内容のデータを重複受信し、そのうち伝送品質の高いデータを選択する中継サーバであって、複数の基地局それぞれのデータを所定時間分記憶するサーバメモリと、所定時間分のデータを時間方向に相対的に推移させつつ相関値を計算し、相関値が所定の閾値以上となる場合のデータ間の時間差を導出するサーバ導出部と、所定時間分のデータのタイミングが進んでいる基地局からのデータを時間差分遅延させるサーバ遅延部と、遅延されたデータを含む基地局からのデータから、伝送品質の高いデータを選択するサーバ選択部と、を備えることを特徴とする、中継サーバが提供される。また、上述した中継サーバを用いた無線通信方法も提供される。
【００２４】
基地局と無線端末装置とのタイムスロットは複数の基地局間でも同期しているが、基地局で復号されたデータは相異する通信経路を経由して中継サーバに伝達される。従って、中継サーバへのデータに時間的なずれが生じ、データの伝送品質を比較することができず、下りデータ同様スロットダイバーシティ通信が成り立たない問題が生じ得る。上述した無線端末装置や無線通信システムでは、下りデータに関する遅延補償がなされたが、本発明では、このような上りデータに関する遅延補償が行われる。
【００２５】
上記課題を解決するために、本発明の別の観点によれば、無線端末装置と無線通信を行う複数の基地局と、複数の基地局からの同一内容のデータを重複受信し、そのうち伝送品質の高いデータを選択する中継サーバと、を備える無線通信システムであって、複数の基地局は、無線端末装置からのパケットをデータに復号する基地局復号部と、復号されたデータを中継サーバに送信するデータ送信部と、中継サーバから時間差を受信した場合、復号したデータを時間差分遅延させる基地局遅延部と、を備え、中継サーバは、複数の基地局それぞれのデータを所定時間分記憶するサーバメモリと、所定時間分のデータを時間方向に相対的に推移させつつ相関値を計算し、相関値が所定の閾値以上となる場合のデータ間の時間差を導出するサーバ導出部と、所定時間分のデータのタイミングが進んでいる基地局に時間差を送信するサーバ時間差送信部と、基地局からのデータから、伝送品質の高いデータを選択するサーバ選択部と、を備えることを特徴とする、無線通信システムが提供される。
【００２６】
上述した中継サーバでは、導出した時間差を中継サーバ自体で補償している。本発明では、かかる時間差を基地局で補償する。
【００２７】
また、上述した無線通信システムを構成する基地局および中継サーバや、その基地局および中継サーバを用いた無線通信方法も提供される。
【００２８】
また、本発明の最初の観点として説明した無線端末装置における技術的思想に対応する構成要素やその説明は、その後説明した無線通信システム、中継サーバ、基地局、無線端末装置、および無線通信方法にも適用可能である。
【発明の効果】
【００２９】
以上説明したように本発明によれば、データに時間情報が付されていなくとも、スロットダイバーシティ通信における各基地局間のデータ遅延を補償し、タイミングの合った同一のデータを比較させることで、伝送品質の高いデータを確実に選択することが可能となる。
【発明を実施するための最良の形態】
【００３０】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００３１】
携帯電話やＰＨＳ（Ｐｅｒｓｏｎａｌ  Ｈａｎｄｙ  ｐｈｏｎｅ  Ｓｙｓｔｅｍ）端末等の無線端末装置と基地局は、時分割多重方式により通信を行っている。また、複数のチャネルを一つの無線端末装置に割り当てて、同一のデータを２以上のチャネルで多重伝送し、そのうち伝送品質の高いデータを選択することで、一方のチャネルに伝送エラーが生じたとしても他方のチャネルでそのエラーを補償することが可能なスロットダイバーシティ通信も実施されている。
【００３２】
ここで、ダイバーシティとは、例えば、電波を受信するために用いられるアンテナを複数離隔して配し、そのアンテナの位置の相異による通信状態の違いに着目して、それぞれのアンテナで受信した電波のうち伝送品質が高い電波を採用し、通信品質を保つ技術である。特に街中では無数の電波が混在しており、数１００ＭＨｚ〜数ＧＨｚといった高周波数を利用する無線端末装置は、スロットダイバーシティ技術によりフェージング等の弊害を回避することが可能となる。
【００３３】
（第１の実施形態：無線通信システム１００）
本実施形態では、このスロットダイバーシティ通信を複数の基地局に跨って実行し、各基地局の空きタイムスロットの有効活用、および通信経路が相異する高い伝送品質を有するデータの提供を図っている。以下、本実施形態のスロットダイバーシティ通信を遂行する無線通信システム１００の概略を説明し、その後で各構成要素に関して詳述する。
【００３４】
図１は、無線通信システム１００の概略的な構成を示したブロック図である。かかる無線通信システム１００は、中継サーバ１１０と、インターネットや専用回線等の通信網１２０と、基地局１３０と、無線端末装置１４０と、他の無線端末装置１５０とを含んで構成される。
【００３５】
上記無線通信システム１００では、無線端末装置１４０を利用して他の無線端末装置１５０に電話しようと試みた場合、ユーザは、自己の無線端末装置１４０を操作して、無線通信可能領域にある基地局１３０と無線通信を確立し、通信網１２０、中継サーバ１１０、および、他の無線端末装置１５０の無線通信可能領域にある基地局１３０を介して、通信相手の有する他の無線端末装置１５０と音声通話を遂行する。
【００３６】
このとき、無線端末装置１４０は、２つの基地局１３０と並行して時分割多重方式に基づく無線通信を行い、さらに、無線端末装置１４０と基地局１３０との上りおよび下りのデータ伝送にスロットダイバーシティ通信を適用する。
【００３７】
図２は、このようなスロットダイバーシティ通信の概略的な構成を示した説明図である。ここでは、２つの基地局１３０Ａ，１３０Ｂと無線端末装置１４０との間で時分割多重方式によるスロットダイバーシティ通信が行われる。無線端末装置１４０から基地局１３０Ａおよび１３０Ｂへの上りデータは、それぞれのタイムスロット（１）および（２）が割り当てられ、基地局１３０Ａおよび１３０Ｂから無線端末装置１４０への下りデータは、それぞれのタイムスロット（３）および（４）が割り当てられ、かかるタイムスロットを通じて同一内容のデータが重複送受信されている。無線端末装置１４０は、重複取得したデータから伝送品質の良いデータのみを抜粋するので高い通信品質を維持することができる。
【００３８】
以下、無線通信システム１００における中継サーバ１１０と、基地局１３０と、無線端末装置１４０とを詳述する。ここでは、特に、中継サーバ１１０から通信網１２０、基地局１３０、無線端末装置１４０への下りデータを挙げ、その下りデータで生じ得るスロットダイバーシティ通信の遅延補償を説明する。
【００３９】
（中継サーバ１１０）
図３は、中継サーバ１１０のハードウェア構成を示した機能ブロック図である。中継サーバ１１０は、パーソナルコンピュータ、ワークステーション等の電子機器で構成され、構成要素として、サーバ制御部２１０と、サーバメモリ２１２とを含んでいる。
【００４０】
上記サーバ制御部２１０は、中央処理装置（ＣＰＵ）を含む半導体集積回路により中継サーバ１１０全体を管理および制御する。サーバ制御部２１０は、サーバメモリ２１２のプログラムを用いて、無線端末装置１４０同士間の通話もしくは通信を中継する。例えば、他の無線端末装置１５０からのデータを受信し、そのデータを無線端末装置１４０に伝達するため、通信網１２０を介して、無線端末装置１４０と無線通信可能な基地局１３０にデータを送信する。
【００４１】
上記サーバメモリ２１２は、ＲＯＭ、ＲＡＭ、Ｅ２ＰＲＯＭ、不揮発性ＲＡＭ、フラッシュメモリ、ＨＤＤ（Ｈａｒｄ  Ｄｉｓｋ  Ｄｒｉｖｅ）等で構成され、サーバ制御部２１０で処理されるプログラムや、無線端末装置１４０同士の間で送受信されるデータを記憶する。
【００４２】
（基地局１３０）
図４は、基地局１３０のハードウェア構成を示した機能ブロック図である。基地局１３０は、基地局制御部３１０と、基地局メモリ３１２と、基地局無線部３１４を含んで構成される。
【００４３】
上記基地局制御部３１０は、中央処理装置を含む半導体集積回路により基地局１３０全体を管理および制御する。基地局制御部３１０は、基地局メモリ３１２のプログラムを用いて、無線端末装置１４０同士間の通話もしくは通信を支援する。かかる支援として、例えば、中継サーバ１１０から通信網１２０を介してデータを受信し、そのデータを無線端末装置１４０に伝達する。
【００４４】
上記基地局メモリ３１２は、ＲＯＭ、ＲＡＭ、Ｅ２ＰＲＯＭ、不揮発性ＲＡＭ、フラッシュメモリ、ＨＤＤ等で構成され、基地局制御部３１０で処理されるプログラムや、無線端末装置１４０同士間で送受信されるデータを記憶する。
【００４５】
上記基地局無線部３１４は、無線端末装置１４０と携帯電話網に基づく無線通信を行う。特に本実施形態では、基地局１３０内でフレームを時分割した複数のタイムスロットをそれぞれチャネルに割り当てて通信を行う時分割多重方式が採用される。
【００４６】
以上のような基地局１３０のハードウェア上で遂行される機能および動作を詳述する。
【００４７】
図５は、基地局１３０の概略的な機能を示した機能ブロック図である。基地局１３０の基地局制御部３１０は、基地局メモリ３１２のプログラムを用いて、パケット生成部４１０と、基地局遅延部４１２として機能する。
【００４８】
上記パケット生成部４１０は、中継サーバ１１０から受信した同一のデータをそれぞれ基地局１３０独自のタイミングでパケット化し、パケットを生成する。そして、かかるパケットを基地局無線部３１４に伝達し、無線端末装置１４０に送信させる。
【００４９】
上記基地局遅延部４１２は、シフトレジスタ等のハードウェアもしくはソフトウェア遅延で実行され、デフォルトは遅延なしに設定されている。そして、無線端末装置１４０から時間差を受信した場合に、中継サーバ１１０からのデータをこの時間差分遅延させる。従って、パケット生成部４１０は、かかる遅延されたデータをパケット化することとなる。
【００５０】
この基地局遅延部４１２は、後述する端末遅延部６１４と同時に利用されてもよいし、どちらか一方のみが利用されるとしてもよい。いずれか一方で時間差を補償できれば、本実施形態の目的である、スロットダイバーシティ通信を機能させることができるからである。
【００５１】
（無線端末装置１４０）
図６は、無線端末装置１４０のハードウェア構成を示した機能ブロック図である。無線端末装置１４０は、上述した携帯電話やＰＨＳの他に、ノート型パーソナルコンピュータ、ＰＤＡ（Ｐｅｒｓｏｎａｌ  Ｄｉｇｉｔａｌ  Ａｓｓｉｓｔａｎｔ）等の携帯可能な様々な電子機器で構成され、構成要素として、端末制御部５１０と、端末メモリ５１２と、表示部５１４と、操作部５１６と、音声入出力部５１８と、端末無線部５２０とを含んでいる。
【００５２】
上記端末制御部５１０は、中央処理装置を含む半導体集積回路により無線端末装置１４０全体を管理および制御する。端末制御部５１０は、端末メモリ５１２のプログラムを用いて、無線端末装置１４０を利用した通話機能やメール配信機能も当然にして遂行するが、図７を用いて後述する各機能も同様に遂行する。
【００５３】
上記端末メモリ５１２は、ＲＯＭ、ＲＡＭ、Ｅ２ＰＲＯＭ、不揮発性ＲＡＭ、フラッシュメモリ、ＨＤＤ等で構成され、端末制御部５１０で処理されるプログラムや、各基地局１３０からの所定時間分のデータを記憶する。
【００５４】
上記表示部５１４は，カラーまたはモノクロのディスプレイで構成され，端末メモリ５１２に記憶された、または通信網１２０を介してアプリケーション中継サーバ（図示せず）から提供される、ＷｅｂブラウザやアプリケーションのＧＵＩ（Ｇｒａｐｈｉｃａｌ  Ｕｓｅｒ  Ｉｎｔｅｒｆａｃｅ）を表示することができる。
【００５５】
上記操作部５１６は、キーボード、十字キー、ジョイスティック等のスイッチから構成され、ユーザの操作入力を受け付ける。
【００５６】
上記音声入出力部５１８は、マイクやスピーカから構成され、通話時に入力されたユーザの音声を音声信号に変換し、また、通話相手の音声信号を音声に変えて出力する。また、着信音や操作部５１６による操作音、アラーム音等も出力できる。
【００５７】
上記端末無線部５２０は、携帯電話網における基地局１３０と無線通信を行う。
【００５８】
以上、図６を用いて無線端末装置１４０のハードウェアの説明をしたが、以下にそのようなハードウェア上で遂行される機能および動作を詳述する。
【００５９】
図７は、無線端末装置１４０の概略的な機能を示した機能ブロック図である。無線端末装置１４０の端末制御部５１０は、端末メモリ５１２のプログラムを用いて、端末復号部６１０と、端末導出部６１２と、端末遅延部６１４と、端末時間差送信部６１６と、端末選択部６１８として機能する。
【００６０】
上記端末復号部６１０は、端末無線部５２０が受信した、複数の基地局１３０からのパケットをデータに復号する。そして、複数の基地局１３０それぞれのデータを所定時間分、例えば、１〜数フレーム分抽出して端末メモリ５１２に記憶する。
【００６１】
上記端末導出部６１２は、端末メモリ５１２に記憶された所定時間分のデータを所定範囲内で時間方向に相対的に推移させつつ相関値を計算し、相関値が所定の閾値以上となる場合のデータ間の時間差を導出する。ここで、相関は、各基地局１３０のデータ同士の相対的関係を言い、相関値は、このような２つの変量間の相関関係の程度を示す。
【００６２】
上記２つの基地局１３０のデータは本来同一のデータなので、時間軸さえ合わせれば、例え一方の通信経路の伝送品質が多少悪かったとしても高い相関値を得ることができる。従って、相関値が所定の閾値以上となる地点の時間軸のずれ量を通信経路の違いによる時間差と見なすことができる。かかる相関値の計算は従来から知られている様々な相関関数を適用することが可能である。
【００６３】
また、端末導出部６１２は、時間差を特定するための条件を、所定の閾値以上かつピーク値となる場合とすることもできる。かかる条件を採用することで、さらに正確な時間差を導出することが可能となる。
【００６４】
図８は、２つの音声データの時間差を特定する処理を説明するためのタイミングチャート図である。図８の（ａ）では、２つの基地局１３０Ａ、１３０Ｂからの１フレーム分の音声データが示されている。時間差が補償されていない図８（ａ）の状態では、伝送品質の良い音声データを選択しようにも、そもそも音声データを比較することができない。端末復号部６１０は、復号したデータを端末メモリ５１２に格納し、その２つの音声データを相対的に徐々に推移させて相関値が高くなるところを見つけ出す。
【００６５】
基地局１３０Ａの音声データに対して基地局１３０Ｂの音声データを時間軸上で遅らせた図８（ｂ）では、互いの音声データが重なり、相関値は閾値に達する。これは、基地局１３０Ｂにおけるパケット化が１３０Ａにおけるパケット化より時間差７００ほど早い（タイミングが進んでいる）ことを示す。従って、基地局１３０Ｂのデータをいずれかの時点で時間差７００分遅延させれば、両音声データの同期がとられることとなる。
【００６６】
ここでは、所定時間分のデータを１フレームとしているが、かかる場合に限られず、データの遅延量に応じて妥当な長さを設定することが可能である。例えば、データの遅延量として最大５０ｍｓｅｃが見込まれる場合、１フレーム５ｍｓｅｃで除算した１０フレーム分の相関をとることができる。そのような場合においても、端末メモリ５１２として必要な記憶容量は、３２ｋｂｐｓ×５０ｍｓｅｃで０．８ｋｂｉｔのみであり、記憶容量不足の問題は生じない。また、図８では、時間情報が付されていないデータとして音声データを挙げて説明したが、相関値を計算する対象は、かかる音声データに限られず、デジタル信号にも適用できる。
【００６７】
上記端末遅延部６１４は、シフトレジスタ等のハードウェアもしくはソフトウェア遅延で実行され、所定時間分のデータのタイミングが進んでいるデータの送信元としての基地局からの今後のデータを時間差分遅延させる。ここでは、端末復号部６１０がデータに復号した後、そのデータを遅延して、後述する端末選択部６１８に伝達する。
【００６８】
上記端末時間差送信部６１６は、所定時間分のデータのタイミングが進んでいるデータの送信元としての基地局１３０に端末導出部６１２で導出された時間差を送信する。かかる時間差を受けて基地局１３０の基地局遅延部４１２は、データを時間差分遅延してから当該無線端末装置１４０にパケットを送信する。
【００６９】
このような端末時間差送信部６１６および基地局遅延部４１２の機構は、上述したように端末遅延部６１４と同時に利用されてもよいし、どちらか一方のみが利用されるとしてもよい。いずれか一方で時間差を補償できれば、スロットダイバーシティ通信を機能させることができるからである。ただし、両機構を同時に利用する場合は、端末時間差送信部６１６および基地局遅延部４１２が動作した後のさらなる時間差を端末遅延部６１４で補償する等の対応をとり、同一の時間差を同時に補償すべきではない。
【００７０】
上記端末選択部６１８は、端末遅延部６１４による遅延データも含めて、復号されたデータの伝送品質を相互に比較し、伝送品質の高いデータを選択する。例えば、データが音声データであった場合、選択された音声データは、当該無線端末装置１４０の音声として音声入出力部５１８から出力される。かかる端末選択部６１８によりスロットダイバーシティ通信が目的とする通信品質の維持を図ることができる。
【００７１】
上述した本実施形態では、理解を容易にするため一つの無線端末装置１４０と２つの基地局１３０とのスロットダイバーシティ通信を挙げて説明しているが、かかる場合に限られず、３以上の基地局１３０を対象とするスロットダイバーシティ通信にも当然にして本実施形態を適用することができる。
【００７２】
また、コンピュータによって、上記中継サーバ１１０、基地局１３０、無線端末装置１４０として機能するプログラムも提供され得る。
【００７３】
次に、複数の基地局１３０と無線通信を行う無線端末装置１４０を用いた無線通信方法について説明する。
【００７４】
（無線通信方法）
図９は、無線通信方法の全体的な流れを示したフローチャートである。ここでは、無線端末装置１４０と他の無線端末装置１５０との通信における下りデータ（中継サーバ１１０から無線端末装置１４０へのデータ）を挙げて説明する。
【００７５】
無線端末装置１４０と他の無線端末装置１５０との通信において、無線端末装置１４０が２つの基地局１３０とスロットダイバーシティ通信を遂行する場合、無線端末装置１４０の端末選択部６１８は、まず、一方の基地局１３０のみのデータを固定的に選択する（Ｓ８００）。端末選択部６１８は、端末導出部６１２が時間差を導出するまで伝送品質の比較ができなので、このような時間差が導出されるまでいずれか一つの基地局からのデータを固定的に使用して、その間の通信接続を維持する。
【００７６】
そして、中継サーバ１１０から同一のデータが送信されると（Ｓ８０２）、複数の基地局１３０Ａ、１３０Ｂが、その同一のデータをそれぞれ任意のタイミングでパケット化してパケットを生成し（パケット生成ステップ：Ｓ８０４）、無線端末装置１４０に割り当てたタイムスロットの間、生成されたパケットを無線端末装置１４０に送信する（基地局パケット送信ステップ：Ｓ８０６）。
【００７７】
無線端末装置１４０は、複数の基地局からパケットを受信すると（端末パケット受信ステップ：Ｓ８０８）、かかるパケットをデータに復号し（端末復号ステップ：Ｓ８１０）、複数の基地局それぞれのデータを所定時間分端末メモリ５１２に記憶する（端末記憶ステップ：Ｓ８１２）。次に、無線端末装置１４０は、所定時間分のデータ間の相関値を計算し（Ｓ８１４）、相関値が所定の閾値以上であるかどうか判断して（Ｓ８１６）、相関値が所定の閾値以上となる場合のデータ間の時間差を導出する（端末導出ステップ：Ｓ８１８）。
【００７８】
このとき、相関値が所定の閾値未満であれば、各所定時間分のデータの相対位置を時間方向に推移させ（Ｓ８２０）、相関値を計算すべき所定範囲に達してないことを判断して（Ｓ８２２）、再度相関値を計算する（Ｓ８１４）。このとき所定範囲に達していると、その所定範囲では所定の閾値以上の相関値を取得できなかったこととなるので、データを所定時間分新たに記憶させ（Ｓ８１２）、再度時間差を導出する（Ｓ８１４）。このように、複数の基地局１３０からの通信経路によって、受信するデータ同士の相関を求められない場合、上述したように所定時間分のデータを再度取得し、相関値が所定の閾値以上となるまで、即ち時間差として妥当な値を得ることができるまで時間差導出処理を繰り返す。
【００７９】
無線端末装置１４０は、端末導出ステップ（Ｓ８１８）で導出された時間差を、所定時間分のデータのタイミングが進んでいる基地局１３０に送信してその基地局１３０で遅延補償させることもできるが、ここでは、無線端末装置１４０内で遅延補償する。従って、無線端末装置１４０内で時間差分の遅延量を設定し（Ｓ８２４）、新たなデータ待ち状態に移行する。
【００８０】
その後、中継サーバ１１０から送信され（Ｓ８０２）、各基地局でパケット化されて（Ｓ８０４）、無線端末装置１４０に送信された（Ｓ８０６）パケットは、無線端末装置１４０で受信されて（Ｓ８０８）、データに復号される（Ｓ８１０）。そして、無線端末装置１４０は、一方の基地局１３０，即ち、所定時間分のデータのタイミングが進んでいた基地局からのデータを、設定された時間差分遅延させる（端末遅延ステップ：Ｓ８３０）。そして、端末選択部６１８は、復号されたデータのうち、伝送品質の高いデータを選択する（端末選択ステップ：Ｓ８３２）。
【００８１】
以上、第１の実施形態で説明したように、複数の基地局１３０に跨ってタイムスロットを割り当てるスロットダイバーシティ通信において、複数の基地局１３０から非同期データを受信したとしても、各基地局１３０からのデータの相関をとることで時間差を導出し、タイミングが進んでいるデータをその時間差分遅延させて、各データのタイミングを合わせることができる。従って、タイミングの合った同一のデータを比較させることができ、伝送品質の高いデータを確実に選択することが可能となり、各基地局１３０間の空きスロットを有効利用することができる。
【００８２】
また、一つの無線端末装置１４０が複数の基地局１３０を対象とすることで、一つの基地局１３０において利用可能なタイムスロットの空きがなくとも他の基地局１３０を利用することが可能となる。
【００８３】
さらに、基地局１３０の配置の違いによって、伝送品質の異なるパケットを取得し、より伝送品質の高いパケットを取得する可能性を高めることができる。例えば、一つの基地局１３０との通信経路がビル等により遮断され、所望の伝送品質を得ることができなくとも、位置が相異する他の基地局１３０とは高い伝送品質で通信できる可能性があるため、当該スロットダイバーシティ通信によって良好な通信品質を維持できる。
【００８４】
（第２の実施形態）
第１の実施形態では、下りデータに関する遅延補償を説明したが、第２の実施形態では、このような上りデータに関する遅延補償を説明する。
【００８５】
第２の実施形態では、複数の基地局に跨ってタイムスロットを割り当てるスロットダイバーシティ通信において、無線端末装置から送信された同一のパケットを複数の基地局でそれぞれ受信し、各基地局で復号されたデータを通信網を介して当該中継サーバで受信する。基地局で復号されたデータは、相異する通信経路を経由して中継サーバに到達するため、データに遅延が生じる。かかるデータにも第１の実施形態同様、時間情報が付されていないので、以下に示すような遅延補償を行う必要がある。
【００８６】
第２の実施形態においても、図１に示したような、無線通信システム１００の構成が採られる。第２の実施形態における無線通信システム１００は、第１の実施形態同様の、中継サーバ９１０と、通信網１２０と、基地局９３０と、無線端末装置１４０と、他の無線端末装置１５０とを含んで構成される。第１の実施形態における構成要素として既に述べた通信網１２０と、無線端末装置１４０と、他の無線端末装置１５０とは，実質的に機能が同一なので重複説明を省略し，ここでは，構成が相違する中継サーバ９１０と、基地局９３０とを主に説明する。以下、理解を容易にするため基地局９３０、中継サーバ９１０の順に詳述する。
【００８７】
（基地局９３０）
図１０は、基地局９３０の概略的な機能を示した機能ブロック図である。基地局９３０の基地局制御部３１０は、基地局メモリ３１２のプログラムを用いて、基地局復号部９５０と、データ送信部９５２と、基地局遅延部９５４として機能する。
【００８８】
上記基地局復号部９５０は、基地局無線部３１４が無線通信を介して無線端末装置１４０から受信したパケットをデータに復号する。
【００８９】
上記データ送信部９５２は、基地局復号部９５０で復号されたデータを通信網１２０を介して中継サーバ９１０に送信する。
【００９０】
上記基地局遅延部９５４は、シフトレジスタ等のハードウェアもしくはソフトウェア遅延で実行され、デフォルトは遅延なしに設定されている。そして、中継サーバ９１０から時間差を受信した場合、復号したデータを時間差分遅延させてデータ送信部９５２に伝達する。かかる基地局遅延部９５４は、後述するサーバ遅延部９６２と同時に利用されてもよいし、どちらか一方のみが利用されるとしてもよい。
【００９１】
（中継サーバ９１０）
図１１は、中継サーバ９１０の概略的な機能を示した機能ブロック図である。中継サーバ９１０のサーバ制御部２１０は、サーバメモリ２１２のプログラムを用いて、サーバ導出部９６０と、サーバ遅延部９６２と、サーバ時間差送信部９６４と、サーバ選択部９６６として機能する。
【００９２】
上記サーバ導出部９６０は、サーバメモリ２１２に記憶された複数の基地局９３０それぞれの所定時間分のデータを読み出し、その所定時間分のデータを時間方向に相対的に推移させつつ相関値を計算し、相関値が所定の閾値以上となる場合のデータ間の時間差を導出する。
【００９３】
上記サーバ遅延部９６２は、シフトレジスタ等のハードウェアもしくはソフトウェア遅延で実行され、所定時間分のデータのタイミングが進んでいる基地局からのデータを時間差分遅延させる。ここでは、基地局９３０から受信したデータを遅延して、そのまま後段における他の無線端末装置１５０近辺の基地局９３０に伝達する。
【００９４】
上記サーバ時間差送信部９６４は、所定時間分のデータのタイミングが進んでいるデータの送信元としての基地局９３０にサーバ導出部９６０で導出された時間差を送信する。かかる時間差を受けて基地局９３０の基地局遅延部９５４は、データを時間差分遅延させて当該中継サーバ９１０にデータを送信する。
【００９５】
このようなサーバ時間差送信部９６４および基地局遅延部９５４の機構は、上述したようにサーバ遅延部９６２と同時に利用されてもよいし、どちらか一方のみが利用されるとしてもよい。
【００９６】
上記サーバ選択部９６６は、サーバ遅延部９６２による遅延データを含めて、データの伝送品質を相互に比較し、伝送品質の高いデータを選択する。例えば、データが音声データであった場合、選択された音声データは、他の無線端末装置１５０の音声として送信される。
【００９７】
また、コンピュータによって、上記中継サーバ９１０、基地局９３０、無線端末装置１４０として機能するプログラムも提供され得る。また、複数の基地局９３０と、複数の基地局９３０と通信を行う中継サーバ９１０とを用いた無線通信方法も提供されるが、かかる無線通信方法は、図９を用いてその概略が既に述べられており、本実施形態の無線通信方法は、通信方向を逆にしたものであるから、ここではその説明を省略する。
【００９８】
以上、第２の実施形態で説明したように、複数の基地局９３０に跨ってタイムスロットを割り当てるスロットダイバーシティ通信において、各基地局９３０からのデータの相関をとることで、各基地局９３０から中継サーバ９１０までの通信経路の相異により生じる時間差を導出し、タイミングが進んでいるデータをその時間差分遅延させて、各データのタイミングを合わせることができる。従って、タイミングの合った同一のデータを比較させることができ、伝送品質の高いデータを確実に選択することが可能となる。
【００９９】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【０１００】
例えば、上述した実施形態では、理解を容易にするため、上りデータと下りデータを、実施形態を分けて説明したが、当然、両実施形態の構成要素を同時に遂行することが可能である。
【０１０１】
また、上述した実施形態では、時間差分の遅延を無線端末装置、基地局、中継サーバそれぞれで行っているが、伝送経路のいずれかの地点でも遅延補償することができる。例えば、下りデータの遅延補償を無線端末装置または基地局で行っているが、中継サーバがデータを遅延させ各基地局に独立して送信しても本実施形態の目的を達成することができる。
【０１０２】
なお、本明細書の無線通信定方法における各工程は、必ずしもフローチャートとして記載された順序に沿って時系列に処理する必要はなく、並列的あるいは個別に実行される処理（例えば、並列処理あるいはオブジェクトによる処理）も含むとしても良い。
【産業上の利用可能性】
【０１０３】
本発明は、スロットダイバーシティ通信におけるデータ間の遅延を補償する無線通信システム、中継サーバ、基地局、無線端末装置、および無線通信方法に利用可能である。
【図面の簡単な説明】
【０１０４】
【図１】第１の実施形態における無線通信システムの概略的な構成を示した構成ブロック図である。
【図２】同実施形態におけるスロットダイバーシティ通信の概略的な構成を示した説明図である。
【図３】同実施形態における中継サーバのハードウェア構成を示した機能ブロック図である。
【図４】同実施形態における基地局のハードウェア構成を示した機能ブロック図である。
【図５】同実施形態における基地局の概略的な機能を示した機能ブロック図である。
【図６】同実施形態における無線端末装置のハードウェア構成を示した機能ブロック図である。
【図７】同実施形態における無線端末装置の概略的な機能を示した機能ブロック図である。
【図８】同実施形態における２つの音声データの時間差を特定する処理を説明するためのタイミングチャート図である。
【図９】同実施形態における無線通信方法の全体的な流れを示したフローチャートである。
【図１０】第２の実施形態における基地局の概略的な機能を示した機能ブロック図である。
【図１１】同実施形態における中継サーバの概略的な機能を示した機能ブロック図である。
【図１２】従来のスロットダイバーシティ通信の概略的な構成を示した説明図である。
【符号の説明】
【０１０５】
１００  無線通信システム
１１０、９１０  中継サーバ
１３０、９３０  基地局
１４０  無線端末装置
２１２  サーバメモリ
３１２  基地局メモリ
３１４  基地局無線部
４１０  パケット生成部
４１２  基地局遅延部
５１０  端末制御部
５１２  端末メモリ
５２０  端末無線部
６１０  端末復号部
６１２  端末導出部
６１４  端末遅延部
６１６  端末時間差送信部
６１８  端末選択部
９５０  基地局復号部
９５２  データ送信部
９５４  基地局遅延部
９６０  サーバ導出部
９６２  サーバ遅延部
９６４  サーバ時間差送信部
９６６  サーバ選択部
【図１】
2008135831.tif 000003
【図２】
2008135831.tif 000004
【図３】
2008135831.tif 000005
【図４】
2008135831.tif 000006
【図５】
2008135831.tif 000007
【図６】
2008135831.tif 000008
【図７】
2008135831.tif 000009
【図８】
2008135831.tif 000010
【図９】
2008135831.tif 000011
【図１０】
2008135831.tif 000012
【図１１】
2008135831.tif 000013
【図１２】
2008135831.tif 000014